(57)【要約】      （修正有）【課題】機器間の通信連結を要請するユーザーの操作に対応して各機器に設けられたカメラとディスプレイを通じて通信連結が自動に行われ、最小限のユーザー操作だけで簡便に通信が連結されるディスプレイ装置、モバイル装置、これを含むシステム及びその接続制御方法を提供する。【解決手段】ディスプレイ装置は、映像を表示するディスプレイ部１２０と、モバイル装置に表示された通信インターフェース情報が入力されるカメラと、ディスプレイ装置で支援される第１通信インターフェース情報とカメラを通じて入力されたモバイル装置の第２通信インターフェース情報に基づいて、モバイル装置との通信連結を設定する制御部と、を含む。【選択図】図１
2015130661.tif 000002
【特許請求の範囲】
【請求項１】
ディスプレイ装置において、
映像を表示するディスプレイ部と；
モバイル装置に表示された通信インターフェース情報が入力されるカメラと；
前記ディスプレイ装置で支援される第１通信インターフェース情報と前記カメラを通じて入力されたモバイル装置の第２通信インターフェース情報に基づいて、前記モバイル装置との通信連結を設定する制御部と；
を含むことを特徴とするディスプレイ装置。
【請求項２】
前記ディスプレイ部は、前記ディスプレイ装置で支援される第１通信インターフェース情報を表示することを特徴とする請求項１に記載のディスプレイ装置。
【請求項３】
前記表示された第１通信インターフェース情報は、前記モバイル装置のカメラを通じて前記モバイル装置に伝達され、
前記第２通信インターフェース情報は、前記伝達された第１通信インターフェース情報に含まれた複数の通信インターフェースの中で前記モバイル装置で選択された通信インターフェースの情報であることを特徴とする請求項２に記載のディスプレイ装置。
【請求項４】
前記制御部は、
前記モバイル装置で選択された通信インターフェースを活性化し、前記活性化された通信インターフェースの連結に必要な前記ディスプレイ装置の識別情報を前記ディスプレイ部に表示することを特徴とする請求項３に記載のディスプレイ装置。
【請求項５】
前記ディスプレイ部は、前記第１通信インターフェース情報を文字、ＱＲコード、バーコードの中で前記モバイル装置で認識可能な少なくとも一つの形式で表示することを特徴とする請求項２に記載のディスプレイ装置。
【請求項６】
前記ディスプレイ装置で支援される第１通信インターフェース情報と、前記モバイル装置で支援される第２通信インターフェース情報が保存される保存部をさらに含み、
前記モバイル装置で支援される第２通信インターフェースが複数である場合、前記第２通信インターフェース情報は、既設定された優先順位に従って整列されて保存されることを特徴とする請求項１乃至請求項５の中で何れか一項に記載のディスプレイ装置。
【請求項７】
前記制御部は、
前記優先順位に従って前記複数の第２通信インターフェースの中で何れか一つの通信インターフェースを選択し、前記選択された通信インターフェースによって前記モバイル装置との通信連結を設定することを特徴とする請求項６に記載のディスプレイ装置。
【請求項８】
前記制御部は、前記選択された通信インターフェースの連結に必要な前記モバイル装置の識別情報が前記カメラを通じて伝達され、前記伝達された識別情報を利用して前記モバイル装置との通信連結を設定することを特徴とする請求項７に記載のディスプレイ装置。
【請求項９】
ディスプレイ装置の接続制御方法において、
カメラを通じてモバイル装置に表示された第２通信インターフェース情報が入力される段階と；
前記ディスプレイ装置で支援される第１通信インターフェース情報と前記カメラを通じて入力されたモバイル装置の第２通信インターフェース情報に基づいて、前記モバイル装置との通信連結を設定する段階と；
を含むことを特徴とするディスプレイ装置の接続制御方法。
【請求項１０】
モバイル装置において、
映像を表示するディスプレイ部と；
ディスプレイ装置に表示された通信インターフェース情報が入力されるカメラと；
前記カメラを通じて入力された前記ディスプレイ装置で支援される第１通信インターフェース情報と、前記モバイル装置で支援される第２通信インターフェース情報に基づいて、前記ディスプレイ装置との通信連結を設定する制御部と；
を含むことを特徴とするモバイル装置。
【請求項１１】
前記ディスプレイ部は、前記モバイル装置で支援される第２通信インターフェース情報を表示することを特徴とする請求項１０に記載のモバイル装置。
【請求項１２】
前記表示された第２通信インターフェース情報は、前記ディスプレイ装置のカメラを通じて前記ディスプレイ装置に伝達され、
前記第１通信インターフェース情報は、前記伝達された第２通信インターフェース情報に含まれた複数の通信インターフェースの中で前記ディスプレイ装置で選択された通信インターフェースの情報であることを特徴とする請求項１１に記載のモバイル装置。
【請求項１３】
前記制御部は、
前記ディスプレイ装置で選択された通信インターフェースを活性化し、
前記活性化された通信インターフェースの連結に必要な前記モバイル装置の識別情報を前記ディスプレイ部に表示することを特徴とする請求項１２に記載のモバイル装置。
【請求項１４】
前記ディスプレイ装置で支援される第１通信インターフェース情報が保存される保存部をさらに含み、
前記ディスプレイ装置で支援される第１通信インターフェースが複数である場合、前記第１通信インターフェース情報は既に設定された優先順位に従って整列されて保存され、
前記制御部は、前記優先順位に従って前記複数の第１通信インターフェースの中で何れか一つの通信インターフェースを選択し、前記選択された通信インターフェースの情報を表示するように前記ディスプレイ部を制御し、前記選択された通信インターフェースによって前記ディスプレイ装置との通信連結を設定することを特徴とする請求項１１乃至請求項１４の中で何れか一項に記載のモバイル装置。
【請求項１５】
モバイル装置の接続制御方法において、
カメラを通じてディスプレイ装置に表示された第１通信インターフェース情報が入力される段階と；
前記カメラを通じて入力された前記ディスプレイ装置で支援される第１通信インターフェース情報と、前記モバイル装置で支援される第２通信インターフェース情報に基づいて、前記ディスプレイ装置との通信連結を設定する段階と；
を含むことを特徴とするモバイル装置の接続制御方法。
【発明の詳細な説明】
【技術分野】
【０００１】
本発明は、ディスプレイ装置、モバイル装置、これを含むシステム及びその接続制御方法に係り、さらに詳しくは、映像を表示するディスプレイが備わった装置間にネットワークの接続を設定するディスプレイ装置、モバイル装置、これを含むシステム及びその接続制御方法に関する。
【背景技術】
【０００２】
一般的に、ディスプレイが備わったＴＶ、スマートフォン、タブレット等のモバイル装置間のデータ通信のための連結方法は、アクセスポイント（ＡＰ）を通じって内部ネットワークを利用する方式、ワイパイダイレクト（ＷｉＦｉ  Ｄｉｒｅｃｔ）を利用して直接に連結する方式、ブルートゥースを利用する方式等が存在する。このような従来の連結方法は、ＴＶの連結されたネットワークにユーザーが受動でモバイル機器を接続させた後、ＴＶと連結したり、ＴＶとモバイル装置のモードをダイレクト連結モードに変更して必要な識別情報を入力する等、ユーザーが受動で機器を操作する手続きが必要である。
【０００３】
従って、ネットワーク接続に対する背景知識がないたり、機器のメニュー操作が慣れていないユーザーにはこのような連結過程が複雑に認識され、ユーザーが該当機器を正しく使用できない不便を招く場合も発生することができる。
【発明の概要】
【発明が解決しようとする課題】
【０００４】
従って、本発明の目的は、機器間の通信連結を要請するユーザーの操作に対応して各機器に設けられたカメラとディスプレイを通じて通信連結が自動に行われるので、最小限のユーザー操作だけで簡便に通信が連結されることを目的とする。
【課題を解決するための手段】
【０００５】
本発明の実施形態によるディスプレイ装置は、映像を表示するディスプレイ部と；モバイル装置に表示された通信インターフェース情報が入力されるカメラと；ディスプレイ装置で支援される第１通信インターフェース情報とカメラを通じて入力されたモバイル装置の第２通信インターフェース情報に基づいて、モバイル装置との通信連結を設定する制御部と；を含むことができる。
【０００６】
ディスプレイ部は、ディスプレイ装置で支援される第１通信インターフェース情報を表示することができる。
【０００７】
表示された第１通信インターフェース情報は、モバイル装置のカメラを通じてモバイル装置に伝達され、第２通信インターフェース情報は、伝達された第１通信インターフェース情報に含まれた複数の通信インターフェースの中でモバイル装置で選択された通信インターフェースの情報であることができる。
【０００８】
制御部は、モバイル装置で選択された通信インターフェースを活性化し、活性化された通信インターフェースの連結に必要なディスプレイ装置の識別情報をディスプレイ部に表示することができる。
【０００９】
ディスプレイ部は、第１通信インターフェース情報を文字、ＱＲコード（登録商標）、バーコードの中でモバイル装置で認識可能な少なくとも一つの形式で表示することができる。
【００１０】
ディスプレイ装置で支援される第１通信インターフェース情報が保存される保存部をさらに含むことができる。
【００１１】
保存部には、モバイル装置で支援される第２通信インターフェース情報が保存されることができる。
【００１２】
モバイル装置で支援される第２通信インターフェースが複数である場合、第２通信インターフェース情報は、既設定された優先順位に従って整列されて保存されることができる。
【００１３】
制御部は、優先順位に従って複数の第２通信インターフェースの中で何れか一つの通信インターフェースを選択し、選択された通信インターフェースによってモバイル装置との通信連結を設定することができる。
【００１４】
ディスプレイ部は、選択された通信インターフェース情報を表示することができる。
【００１５】
制御部は、選択された通信インターフェースの連結に必要な前記モバイル装置の識別情報がカメラを通じて伝達され、伝達された識別情報を利用して前記モバイル装置との通信連結を設定することができる。
【００１６】
一方、本発明の実施形態によるディスプレイ装置の接続制御方法は、カメラを通じてモバイル装置に表示された第２通信インターフェース情報が入力される段階と；ディスプレイ装置で支援される第１通信インターフェース情報とカメラを通じて入力されたモバイル装置の第２通信インターフェース情報に基づいて、モバイル装置との通信連結を設定する段階と；を含むことができる。
【００１７】
ディスプレイ装置で支援される第１通信インターフェース情報を表示する段階をさらに含むことができる。
【００１８】
表示された第１通信インターフェース情報をモバイル装置のカメラを通じてモバイル装置に伝達する段階をさらに含み、第２通信インターフェース情報は、伝達された第１通信インターフェース情報に含まれた複数の通信インターフェースの中でモバイル装置で選択された通信インターフェースの情報であることができる。
【００１９】
モバイル装置で選択された通信インターフェースを活性化する段階と；
活性化された通信インターフェースの連結に必要なディスプレイ装置の識別情報を表示する段階をさらに含むことができる。
【００２０】
第１通信インターフェース情報を表示する段階で、第１通信インターフェース情報は、文字、ＱＲコード、バーコードの中でモバイル装置で認識可能な少なくとも一つの形式で表示することができる。
【００２１】
ディスプレイ装置で支援される第１通信インターフェース情報が保存される段階をさらに含むことができる。
【００２２】
モバイル装置で支援される第２通信インターフェース情報を保存する段階をさらに含むことができる。
【００２３】
第２通信インターフェース情報を保存する段階で、モバイル装置で支援される第２通信インターフェースが複数である場合、第２通信インターフェース情報は、既設定された優先順位に従って整列されて保存されることができる。
【００２４】
優先順位に従って複数の第２通信インターフェースの中で何れか一つの通信インターフェースを選択する段階と、選択された通信インターフェースによってモバイル装置との通信連結を設定する段階をさらに含むことができる。
【００２５】
選択された通信インターフェースの情報を表示する段階をさらに含むことができる。選択された通信インターフェースの連結に必要なモバイル装置の識別情報がカメラを通じて伝達される段階と；伝達された識別情報を利用してモバイル装置との通信連結を設定する段階と；をさらに含むことができる。
【００２６】
一方、本発明の実施形態によるモバイル装置は、映像を表示するディスプレイ部と；ディスプレイ装置に表示された通信インターフェース情報が入力されるカメラと；カメラを通じて入力された前記ディスプレイ装置で支援される第１通信インターフェース情報と、前記モバイル装置で支援される第２通信インターフェース情報に基づいて、前記ディスプレイ装置との通信連結を設定する制御部と；を含むことができる。
【００２７】
ディスプレイ部は、前記モバイル装置で支援される第２通信インターフェース情報を表示することができる。
【００２８】
表示された第２通信インターフェース情報は、ディスプレイ装置のカメラを通じて前記ディスプレイ装置に伝達され、前記第１通信インターフェース情報は、前記伝達された第２通信インターフェース情報に含まれた複数の通信インターフェースの中で前記ディスプレイ装置で選択された通信インターフェースの情報であることができる。
【００２９】
制御部は、前記ディスプレイ装置で選択された通信インターフェースを活性化し、前記活性化された通信インターフェースの連結に必要な前記モバイル装置の識別情報を前記ディスプレイ部に表示することができる。
【００３０】
ディスプレイ装置で支援される第１通信インターフェース情報が保存される保存部をさらに含み、ディスプレイ装置で支援される第１通信インターフェースが複数である場合、第１通信インターフェース情報は既に設定された優先順位に従って整列されて保存されることができる。
【００３１】
制御部は、優先順位に従って前記複数の第１通信インターフェースの中で何れか一つの通信インターフェースを選択し、前記選択された通信インターフェースの情報を表示するように前記ディスプレイ部を制御し、前記選択された通信インターフェースによって前記ディスプレイ装置との通信連結を設定することができる。
【００３２】
選択された通信インターフェースの連結に必要なディスプレイ装置の識別情報がカメラを通じて伝達され、伝達された識別情報を利用してディスプレイ装置との通信連結を設定することができる。
【００３３】
一方、本発明の実施形態によるモバイル装置の接続制御方法は、カメラを通じてディスプレイ装置に表示された第１通信インターフェース情報が入力される段階と；前記カメラを通じて入力された前記ディスプレイ装置で支援される第１通信インターフェース情報と、前記モバイル装置で支援される第２通信インターフェース情報に基づいて、前記ディスプレイ装置との通信連結を設定する段階と；を含むことができる。
【００３４】
一方、本発明の実施形態によるディスプレイ装置とモバイル装置を含むシステムにおいて、ディスプレイ装置は、ディスプレイ装置で支援される第１通信インターフェース情報を表示する第１ディスプレイ部と；モバイル装置に表示された情報が入力される第１カメラを含み、モバイル装置は、ディスプレイ装置に表示された第１通信インターフェース情報が入力される第２カメラと；第２カメラを通じて入力された第２通信インターフェース情報に従って決定されたディスプレイ装置と連結かかの第２通信インターフェース情報を表示する第２ディスプレイ部と；を含み、ディスプレイ装置は、第１カメラを通じて第２通信インターフェース情報が入力され、第２通信インターフェースの連結に必要な第１識別情報を第１ディスプレイ部に表示し、モバイル装置は第１識別情報を利用してディスプレイ装置との通信連結を試みることができる。
【００３５】
一方、本発明の他の実施形態によるディスプレイ装置とモバイル装置を含むシステムは、ディスプレイ装置は、ディスプレイ装置で支援される第２通信インターフェース情報が入力される第１カメラと；ディスプレイ装置で支援される第１通信インターフェース情報及び第２通信インターフェース情報に従って決定されたモバイル装置と連結が可能な通信インターフェース情報を表示する第１ディスプレイ部と；を含み、モバイル装置は、ディスプレイ装置に表示されたモバイル装置と連結が可能な通信インターフェース情報が入力される第２カメラと；第２カメラを通じて入力された通信インターフェースの連結に必要な第２識別情報を表示する第２ディスプレイ部と；を含み、ディスプレイ装置は、第２識別情報を利用してモバイル装置との通信連結を試みることができる。
【発明の効果】
【００３６】
機器間の通信連結を要請するユーザーの操作に対応して各機器に設けられたカメラとディスプレイを通じて通信連結が自動に行われるので、最小限のユーザー操作だけで簡便に通信が連結されることができる。
【図面の簡単な説明】
【００３７】
【図１】本発明の一実施形態による通信システムの構成を示す例示図である。
【図２】本発明の一実施形態による機器の具体的な構成を示すブロック図である。
【図３Ａ】本発明の実施形態による通信システムの接続制御方法を示すフローチャートである。
【図３Ｂ】本発明の実施形態による通信システムの接続制御方法を示すフローチャートである。
【図４Ａ】本発明の実施形態による通信システムの接続制御方法を示すフローチャートである。
【図４Ｂ】本発明の実施形態による通信システムの接続制御方法を示すフローチャートである。
【発明を実施するための形態】
【００３８】
以下、添付図面を参照して本発明の好ましい実施形態に対して詳しく説明する。
【００３９】
図１は、本発明の一実施形態による通信システムの構成を示す例示図である。
【００４０】
本発明の一実施形態による通信システムは、図１に示すように、第１機器１０１と第２機器１０２で具現された複数の機器１００を含み、第１機器１０１はディスプレイ装置で、第２機器１０２はモバイル装置で具現されることができる。
【００４１】
ディスプレイ装置で具現された第１機器１０１は、外部の映像供給源（図示せず）から提供される映像信号をディスプレイ部１２０に映像で表示可能に既設定された映像処理プロセスに従って処理する。本実施形態のディスプレイ装置１０１は、所定位置、例えば、前面上部にイメージセンサー１４１を含む映像入力部１４０即ち、カメラが設けられることができる。
【００４２】
本実施形態は、ディスプレイ装置が放送局の送出装備から受信される放送信号／放送情報／放送データに基づく放送映像を表示するＴＶで具現された場合に関する。しかしディスプレイ装置は、表示可能な映像の種類が放送映像に限られず、例えば、ディスプレイ装置は多様な形式の映像供給源（図示せず）から受信される信号／データに基づく動映像、停止映像、アプリケーション（ａｐｐｌｉｃａｔｉｏｎ）、ＯＳＤ（ｏｎ−ｓｃｒｅｅｎ  ｄｉｓｐｌａｙ）、多様な動作制御のためのユーザーインターフェース（ＵＩ：ｕｓｅｒ  ｉｎｔｅｒｆａｃｅ、以下、ＧＵＩ（ｇｒａｐｈｉｃ  ｕｓｅｒ  ｉｎｔｅｒｆａｃｅ）とも言う）などの映像を表示することができる。
【００４３】
本発明の実施形態に夜と、ディスプレイ装置は、スマートＴＶで具現されることができる。スマートＴＶは、実時間で放送信号を受信して表示することができるし、ウェブブラウザー機能を有しているので、実時間放送信号の表示と共にインターネットを通じて多様なコンテンツ検索及び消費が可能で、このために便利なユーザー環境を提供することができるＴＶである。また、スマートＴＶは、開放刑スフとウェア  プラットホームを含み、これによってユーザーに両方向サービスを提供することができる。従って、スマートＴＶは、開放刑ソフトウェア  プラットホームを通じて多様なコンテンツ、例えば、所定のサービスを提供するアプリケーションをユーザーに提供することができる。このようなアプリケーションは、多様な種類のサービスを提供することができる応用プログラムとして、例えば、ＳＮＳ、金融、電気、地図、音楽、電子ブックなどのサービスを提供するアプリケーションを含む。
【００４４】
本発明の思想は、本実施形態と異なるディスプレイ装置、例えば、ディスプレイ装置がコンピュータ本体に接続されたモニター等である場合にも適用されることができる。
【００４５】
モバイル装置で具現された第２機器１０２は、スマートフォンを含む形態フォン、タブレット（スマートパッド）、形態用メディアプレーヤー（ＭＰ３プレーヤー）、デジタルカメラ、キャムコーダ等を含むデジタル機器で具現される。本実施形態のモバイル装置は、所定位置、例えば、前面／または後面の上部にイメージセンサー１４１を含む映像入力部１４０、即ちカメラが設けられることができる。図１では、モバイル装置がスマートフォンで具現された場合を例えて示したが、本発明はこれに限られない。
【００４６】
本実施形態による通信システムは、相互間に通信連結が可能であり、ディスプレイとカメラが備わった互いに異なる複数の装置として、第１機器１０１及び第２機器１０２を含む。ここで、第１機器１０１及び第２機器１０２間の通信のための連結設定時に一つの機器、例えば、第１機器１０１は、ホストとして、他の一つの機器、例えば、第２機器１０２は、クライアントとして動作することができる。
【００４７】
図１では、第１機器１０１がＴＶ、即ち、ディスプレイ装置で、第２機器１０２がスマートフォン、即ち、モバイル装置で具現されたことを例えて示す。例えば、本発明の通信システムに含まれる機器をそれぞれタブレットとスマートフォンで具現したり、ＴＶと形態用メディア機器で具現したり、または二つのスマートフォンで具現したり場合等、多様に実施することができる。
【００４８】
即ち、以下で説明する実施形態は、システムの具現方式に従って多様に変更及び適用される一つの例示に過ぎず、本発明の思想を限定する事項ではない。
【００４９】
以下、ディスプレイ装置またはモバイル装置で具現することができる本発明に一実施形態の機器１００の具体的な構成を図２を参照して説明する。
【００５０】
図２は、本発明の一実施形態による機器１００の構成を示すブロック図であり、図２に示す機器１００の構成は、図１の機器１０１及び第２機器１０２に全部適用される。
【００５１】
図２に示すように、本発明の一実施形態による機器１００は、外部から受信された映像信号を処理する映像処理部１１０と、映像処理部１１０によって処理される映像信号を映像で表示するディスプレイ部１２０と、ユーザーの入力を受信するユーザー入力部１３０と、外部から映像が入力される映像入力部１４０と、各種のデータが保存される保存部１５０と、外部と有無線通信を行う通信部１６０と、装置１００を制御する制御部１７０と、を含む。
【００５２】
映像処理部１１０は、映像信号に対して既に設定された多様な映像処理プロセスを行う。映像処理部１１０は、このようなプロセスを行った映像信号をディスプレイ部１２０に出力することによって、ディスプレイ部１２０に映像が表示される。
【００５３】
このために、映像処理部１１０は、外部から映像信号を受信する映像受信部を含むことができる。受信する映像信号の規格及び装置１００の具現形態に対応して多様な方式で具現されることができる。例えば、映像処理部１１０は、放送局（図示せず）から送出されるＲＦ（ｒａｄｉｏ  ｆｒｅｑｕｅｎｃｙ）信号を無線で受信したり、コンポジット（Ｃｏｍｐｏｓｉｔｅ）ビデオ、コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（登録商標：Ｈｇｈｄｅｆｉｎｉｔｉｏｎ  ｍｕｌｔｉｍｅｄｉａ  ｉｎｔｅｒｆａｃｅ）規格等による映像信号を有線で受信することができる。映像処理部１１０は、映像信号が放送信号である場合、この放送信号をチャンネル別にチューニング（ｔｕｎｅｒ）を含む。
【００５４】
また、映像信号は、外部機器から入力され、例えば、映像信号は、ＰＣ、ＡＶ機器、スマートフォン、スマートパッド等のような外部機器から入力されることができる。また、映像信号は、インターネット等のようなネットワークを通じて受信されるデータから基づくことができる。この場合、ディスプレイ装置１００は、通信部１６０を通じてネットワーク通信を行うことができる。また、映像信号は、フラッシュメモリー、ハードディスク等のような非揮発性の保存部１５０に保存されたデータから基づくことができる。保存部１５０は、ディスプレイ装置１００の内部または外部に設けられ、外部に設けられる場合に保存部１５０が連結される連結部（図示せず）をさらに含むことができる。
【００５５】
映像処理部１１０が行う映像処理プロセスの種類は限られず、例えば、多様な映像フォーマットに対応するデコーディング、ディインタレーシング（ｄｅ−ｉｎｔｅｒｌａｃｉｎｇ）、フレーム  リフレッシュ  レート（ｆｒａｍｅ  ｒｅｆｒｅｓｈ  ｒａｔｅ）変換、スケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、ラインスキャニング（ｌｉｎｅ  ｓｃａｎｎｉｎｇ）等を含むことができる。映像処理部１１０は、このような各プロセスを独自的に行うことができる個別的な構成のグループで具現されたり、またはいろいろな機能を統合したＳｏＣ（ｓｙｓｔｅｍ−ｏｎ−Ｃｈｉｐ）で具現されることができる。
【００５６】
ディスプレイ部１２０は、映像処理部１１０によって処理される映像信号に基づいて映像を表示する。ディスプレイ部１２０の具現方式は限られず、液晶（ｌｉｑｕｉｄ  ｃｒｙｓｔａｌ）、プラズマ（ｐｌａｓｍａ）、発光ダイオード（ｌｉｇｈｔ−ｅｍｉｔｔｉｎｇ  ｄｉｏｄｅ）、有機発光ダイオード（ｏｒｇａｎｉｃ  ｌｉｇｈｔ−ｅｍｔｔｉｎｇ  ｄｉｏｄｅ）、面伝導電子銃（ｓｕｒｆａｃｅ−ｃｏｎｄｕｃｔｉｏｎ  ｅｌｅｃｔｉｏｎ−ｅｍｉｔｔｅｒ）、炭素ナーノチューブ（ｃａｒｂｏｎ  ｎａｎｏ−ｔｕｂｅ）、ナーノクリスタル（ｎａｎｏ−ｃｒｙｓｔａｌ）などの多様な方式で具現されることができる。
【００５７】
ディスプレイ部１２０は、その具現方式に従って、付加的な構成を追加的に含むことができる。例えば、ディスプレイ部１２０が液晶方式である場合、ディスプレイ部１２０は、液晶ディスプレイパネル（図示せず）と、これに光を供給するバックライトユニット（図示せず）と、パネル（図示せず）を駆動させるパネル駆動機関（図示せず）を含む。
【００５８】
本実施形態のディスプレイ部１２０は、ユーザーのタッチによる入力が受信されるタッチスクリーン（ｔｏｕｃｈ−ｓｃｒｅｅｎ）１２１を含むことができる。タッチスクリーン１２１は、例えば、抵抗膜（ｒｅｓｉｓｔｉｖｅ）方式、停電容量（ｃａｐａｃｉｔｉｖｅ）方式、赤外線（ｉｎｆｒａｒｅｄ）方式、または超音波（ａｃｏｕｓｔｉｃ  ｗａｖｅ）方式で具現されることができる。
【００５９】
タッチスクリーン１２１は、ユーザーインターフェース（ＵＩ）として、ディスプレイ装置１００のメニュー項目を含むオブジェクト（ｏｂｊｅｃｔ、例えば、メニュー、テキスト、イメージ、ビデオ、図形、アイコン及び短縮アイコン）を表示することができる。ユーザーは、タッチスクリーン１２１に表示されたオブジェックトをユーザーの身体（例えば、指）またはスタイルロストゥのような別のポインティング  デバイスでタッチして、ユーザー入力をすることができる。
【００６０】
タッチスクリーン１２１は、ユーザーに多様なサービス（例えば、通話、データ送信、放送、写真撮影、動映像、またはアプリケーション）に対応されるＧＵＩ（Ｇｒａｐｈｉｃａｌ  Ｕｓｅｒ  Ｉｎｔｅｒｆａｃｅ）を提供することができる。タッチスクリーン１２１は、ＧＵＩを通じて入力されるシングルタッチまたはマルチタッチに対応されるアナログ信号を制御部１７０に送信する。
本発明の実施形態でのタッチは、タッチスクリーン１２１とユーザーの身体またはタッチ可能なポインティング  デバイスの接触に限られず、非接触（例えば、タッチスクリーン１２１とユーザーの身体またはタッチスクリーン１２１とポインティング  デバイスとの検出可能な間隔が３０ｍｍ以下のホバリング（ｈｏｖｅｒｉｎｇ）を含むことができる。タッチスクリーン１２１で検出可能な非接触間隔は機器１００の性能または構造に従って変更されることができるということは、当該技術分野で通常の知識を有する者に容易に理解されることができる。
【００６１】
本実施形態でタッチ入力は、ドラック（ｄｒａｇ）、フリック（ｆｌｉｃｋ）、ドラッグアンドドラップ（ｄｒａｇ＆ｄｒｏｐ）、タップ（ｔａｐ）、ロングタップ（ｌｏｎｇ  ｔａｐ）などを含む。
【００６２】
本実施形態のディスプレイ部１２０には通信部１６０が支援する通信インターフェース情報が表示される。制御部１７０は、保存部１５０に保存された通信部１６０の通信インターフェース情報を照会してディスプレイ部１２０に表示するように制御することができる。
【００６３】
ユーザー入力部１３０は、ユーザーの操作及び入力よって、既に設定された多様な制御コマンドまたは限定されない情報を制御部１７０に伝達する。
【００６４】
本実施形態のユーザー入力部１３０は、機器１００本体に設けられた数字キー、メニューキー等のボタンを含むキーパッド（または、入力パネル）（図示せず）と、ＴＶを遠隔で制御可能に既に設定されたコマンド（ｃｏｍｍａｎｄ）／データ／情報／信号を生成して機器１００に送信するリモートコントローラー（ｒｅｍｏｔｅ  ｃｏｎｔｒｏｌｌｅｒ）、キーボード（ｋｅｙｂｏａｒｄ）、マウス等の本体と離隔分離された入力装置を含む。入力装置は、機器１００本体と無線通信が可能な外部装置であり、無線通信は赤外線通信、ＲＦ通信、無線ラン等を含む。入力装置は、ユーザーによって操作されることによって既に設定されたコマンドを機器１００に送信する。
【００６５】
キーパッドは、機器１００の前面及び／または側面に形成される物理的なキーパッド／タッチスクリーン１２１内に表示される仮想キーパッド及び無線で連結可能な物理的なキーパッドを含む。機器１００の前面及び／または側面に形成される物理的なキーパッドは、機器１００の性能または構造に従って除外されることができるというのは当該技術分野の通常の知識を有する者には容易に理解されることができる。
【００６６】
また、ユーザー入力部１３０は、リモートコントローラに設けられ、ユーザーのタッチを感知するタッチ感知部（図示せず）及びユーザーによる事態モーションを感知するモーション感知部（図示せず）などをさらに含むことができる。
【００６７】
本実施形態のユーザー入力部１３０は、ユーザーから他の機器との通信連結要請を受信し、ユーザー入力部１３０は他の機器との通信連結要請に対応するように設けられた専用ボタンを含むことができる。
【００６８】
映像入力部１４０は、外部から映像が入力されるカメラで具現される。映像乳慮Ｋ部１４０は、機器１００の所定位置、例えば、上部二設けられることができるが、設置位置は限られず、場合によって機器１００の本体と分離されて外部に設けられることもできる。
【００６９】
映像入力部１４０は、映像が透過されるレンズ（図示せず）及びレンズを通じて透過された映像を感知するイメージセンサー１４１を含むことができる。イメージセンサー１４１は、ＣＣＤ／ＣＭＯＳイメージセンサーで具現されることができる。
【００７０】
機器１００がスマートフォン、タブレット等のモバイル装置で具現される場合、映像入力部１４０は制御部１７０の制御にしたがって停止イメージまたは動映像を撮影する前面の第１カメラ及び後面の第２カメラの中で少なくとも一つを含むことができる。映像入力部１４０は第１カメラと第２カメラの中で一つまたは両者を全部含むことができる。また、第１カメラまたは第２カメラは、撮影に必要な光量を提供する補助光源（例えば、フラッシュ）をさらに含むことができる。
【００７１】
本実施形態の映像入力部１４０は、他の機器のディスプレイ部に表示された映像を撮影して、他の機器で支援される通信インターフェース情報を読むことができる。
【００７２】
映像入力部１４０を通じて入力される映像は、映像処理部１１０で処理される。制御部１７０は、映像処理部１１０で処理された映像から後述する他の機器の通信インターフェース情報を抽出することができる。制御部１７０は、抽出された通信インターフェース情報を利用して他の機器との通信連結を設定することができる。
【００７３】
保存部１５０は、制御部１７０の制御にしたがって限られずデータが保存される。保存部１５０は、非揮発性メモリ、揮発性メモリ、フラッシュメモリ（ｆｌａｓｈ−ｍｅｍｏｒｙ）、ハードディスクドライブ（ＨＤＤ）またはソリッド  ステート  ドライブ（ＳＳＤ）を含むことができる。保存部１５０は、制御部１７０によってアクセスされ、制御部１７０によるデータの読取／記録／修正／更新等が行われる。
【００７４】
保存部１５０に保存されるデータは、例えば、機器１００の駆動のための運営体制を始めて、この運営体制で実行可能な多様なアプリケーション、映像データ、付加データ等を含む。
【００７５】
具体的に、保存部１５０は、制御部１７０の制御にしたがって各構成要素１１０乃至１４０及び１６０の動作に対応して入／出力されう信号またはデータを保存することができる。保存部１５０は、機器１００の制御のための制御プログラムと製造社で提供されたり外部からダウンロードされるアプリケーションに関するＧＵＩ（ｇｒａｐｈｉｃａｌ  ｕｓｅｒ  ｉｎｔｅｒｆａｃｅ）、ＧＵＩを提供するためのイメージ、ユーザー情報、文書、データベースまたは関連データを保存することができる。
【００７６】
保存部１５０にはタッチスクリーン１２１に対するユーザー入力を感知するための座標情報を含む多様な情報がさらに保存される。例えば、制御部１７０は、タッチスクリーン１２１に対するユーザーのタッチを感知すれば、保存部１５０に既に保存された情報を利用して感知されたタッチ入力の種類を識別し、タッチ位置に対応する座標情報（Ｘ及びＹ座標）を算出して算出された座標情報を映像処理部１１０に伝達することができる。また、識別されたタッチ入力の種類及びタッチ位置に対応する映像が映像処理部１１０によってディスプレイ部１２０に表示されることができる。
【００７７】
本実施形態の保存部１５０には通信部１６０で支援される通信インターフェース情報（または、ネットワーク  インターフェース情報）がさらに保存されることができる。ここで、保存部１５０は、通信部１６０が支援する通信インターフェース情報を既に保存していたり、またはユーザーからの機器間の連結要請に応答して使用可能な通信インターフェースを照会または探索しその結果に対応する情報を保存するように具現されることもできる。
【００７８】
本発明の一実施形態で保存部という用語は、保存部１５０、制御部１７０内ローム（図示せず）、ラム（図示せず）または機器１００に装着されるメモリカード（図示せず）（例えば、ｍｉｃｒｏ  ＳＤカード、メモリスティック）を含む。
【００７９】
通信部１６０は、他の機器との通信を行う。本実施形態の通信部１６０は、ワイファイ（ＷｉＦｉ）、ブルートゥース（Ｂｌｕｔｏｏｔｈ）、ＲＦ（Ｒａｄｉｏ  Ｆｒｅｑｕｅｎｃｙ）、ジグビー（登録商標Ｚｉｇｂｅｅ）、無線ラン（ｗｉｒｅｌｅｓｓ  ＬＡＮ）、赤外線通信、ＵＷＢ（Ｕｌｔｒａ  Ｗｉｄｅｂａｎｄ）及びＮＦＣ（Ｎｅａｒ  Ｆｉｅｌｄ  Ｃｏｍｍｕｎｉｃａｔｉｏｎ）などの通信インターフェース１乃至Ｎの中で少なくとも一つを支援することができる。
【００８０】
本実施形態の通信部１６０は機器１００がスマートフォンのような携帯フォーンである場合、移動通信部（図示せず）をさらに含む。移動通信部は、機器１００と連結可能な電話番号を有する携帯フォン、スマートフォン、タブレット等と音声通話、画像通話、文字メッセージ（ＳＭＳ）、マルチメディアメッセージ（ＭＭＳ）及びデータ通信のための無線信号を伝送／受信する、また、本実施形態の通信部１６０は少なくとも一つの有線通信インターフェースをさらに含むことができる。
【００８１】
通信部１６０は、本実施形態によると、機器１００本体に内装したり、ドングル（ｄｏｇｎｌｅ）またはモジュール（ｍｏｄｕｌｅ）形態で具現されて機器１００のコネクタ（図示せず）に着脱されることもできる。
【００８２】
制御部１７０は、機器１００の多様な構成に対する制御動作を行う。例えば、制御部１７０は、映像処理部１１０が処理する映像処理プロセスの進行、ユーザー入力１３０からのコマンドに対する対応制御動作、タッチスクリーン１２１に対するユーザータッチに対応する操作位置を感知し感知された操作位置に対応する仮想ポイント（Ｘ及びＹ座標）を設定及びユーザータッチに対応する動作を行うことによって、機器１００の全体動作を制御する。制御部１７０は、例えば、ＣＰＵにソフトウェアが結合された形態で具現されることができる。
【００８３】
制御部１７０は、機器１００の全般的な動作及び機器１００の内部構成要素１１０乃至１６０間の信号の流れを制御し、データを処理する機能を行う。制御部１７０は、電源供給部（図示せず）から内部構成要素１１０乃至１６０への電源供給を制御する。また、ユーザーの入力または設定されて保存された条件を満足する場合、制御部１７０は保存部１５０に保存されたＯＳ（ｏｐｅｒａｔｉｏｎ  Ｓｙｓｔｅｍ）及び多様なアプリケーションを行うことができる。
【００８４】
本発明の実施形態による機器１００の制御部１７０は、他の機器との通信連結に対するユーザーの操作に応答して、当該機器１００の通信部１６０が支援する通信インターフェース情報を表示するようにディスプレイ部１２０を制御する。ここで、通信部１６０が支援する通信インターフェース情報は保存部１５０に既に保存され、文字、ＱＲコード（Ｑｕｉｃｋ  Ｒｅｓｐｏｎｓｅ  Ｃｏｄｅ）、バーコード（ｂａｒｃｏｄｅ）などの多様な形式でディスプレイ部１２０に表示されうことができる。
【００８５】
また、制御部１７０は、他の機器との通信連結に対するユーザー操作に応答して映像入力部１４０を活性化させ、イメージセンサー１４１を通じて感知された他の機器の通信インターフェース情報が入力される。また、制御部１７０は、入力された他の機器の通信インターフェース情報を分尺し、分尺された他の機器の通信インターフェース情報と当該機器１００が支援する通信インターフェース情報を比較して、通信連結に使用する通信インターフェースを決定し、決定された通信インターフェースに基づいて他の機器との通信連結を設定する。
【００８６】
ここで、制御部１００は、当該機器１００と他の機器が全部共通的に支援する通信インターフェースうによって通信連結を設定する。制御部１００は、二つの機器で共通的に支援される通信インターフェースが複数である場合、最適のインターフェースを選択するようになって、例えば、システム環境、既に設定された優先順位、ユーザーの設定の中で少なくとも一つにしたがって何れか一つを最適の通信インターフェースを選択することができる。
【００８７】
本実施形態の通信システムの複数の機器１００は通信連結時に何れか一つがホスト（ｈｏｓｔ）で、他の一つがクライアント（ｃｌｉｅｎｔ）で動作する。以下では、図１の第１機器１０１即ち、ディスプレイ装置がホストで、第２機器１０２即ち、モバイル機器がクライアントで動作する場合を例えて説明し、本発明には反対の場合、即ち、第２機器１０２がホストで、第１機器１０１がクライアントで動作するように具現される場合も含むことができる。
【００８８】
以下、本実施形態による通信システムでの機器間の接続制御方法に対して図３Ａと図３Ｂ及び図４Ａお図４Ｂを参照して説明する。
【００８９】
図３Ａと図３Ｂ及び図４Ａと図４Ｂは、本発明の実施形態による通信システムの接続制御方法を示すフローチャートである。図３Ａと図３Ｂ及び図４Ａと図４Ｂに示すように、本発明の実施形態による接続制御方法は、ホスト１０１とクライアント１０２間の相互動作によって行われる。
【００９０】
図３Ａに示すように、ホスト、即ち、第１機器１０１は、ユーザーから機器１０１、１０２間の連結要請を受信することができる３０１。ここで、ユーザーは、第１機器１０１のユーザー入力部１３０を操作して、第２機器１０２との通信連結を要請することができる。例えば、ユーザーは、通信連結要請に対応するように設けられた専用ボタンを操作する簡単な方式で通信連結を要請し、タッチスクリーン１２１または第１機器１０１と分離された入力装置を操作して通信連結モードを選択する方式で通信連結を要請することができる。
【００９１】
段階３０１で受信された機器１０１、１０２間の連結要請に対応して、制御部１７０は第１機器１０１の映像入力部１４０即ち、カメラを活性化させる（３０２）。ここで、第１機器１０１は、動作モードが通信連結モードに転換されることができる。
【００９２】
また、段階３０１の機器１０１、１０２間の連結要請に対応して、制御部１７０は、保存部１４０に保存された第１機器１０１の通信部１６０で支援する第１通信インターフェース情報を照会する３０３。
【００９３】
段階３０３の照会結果に対応して、制御部１７０は、第１機器１０１が使用可能な第１通信インターフェース情報をディスプレイ部１２０に表示する３０４。ここで、ディスプレイ部１２０に表示される第１通信インターフェース情報は、文字、ＱＲコード、バーコード等、第２機器１０２で認識可能な多様な形態で表示することができる。図１は、第１機器１０１０がアクセスポイント（ＡＰ）、ワイパイ（ＷｉＦｉ）、ブルートゥースを支援する場合にディスプレイ部１２０に第１通信インターフェース情報が表示された場合を例えて示す。また、第１機器１０１は、第２機器１０２から入力を待機する。
【００９４】
一方、クライアント、即ち、第２機器１０２もユーザーから機器１０１、１０２間の連結要請を受信することができる３０５。ここで、ユーザーは、第２機器１０２のユーザー入力部１３０を操作して、第１機器１０２との通信連結を要請することができる。例えば、ユーザーは通信連結要請に対応するように設けられた専用ボタンを操作する簡単な方式で通信連結を要請し、タッチスクリーン１２１または第２機器１０２と分離された入力装置を操作して通信連結モードを選択する方式で通信連結を要請することもできる。ここで、段階３０１と３０５の連結要請は、同時または時間的な差を置いて受信され、互いに独立的に受信されることができる。
【００９５】
段階３０５で受信された機器１０１、１０２間の連結要請に対応して、第２機器１０２の制御部１７０は第２機器１０２の映像入力部１４０、即ち、カメラを活性化させる３０６。ここで、第２機器１０２は動作モードが通信連結モードに転換されることができる。
【００９６】
第２機器１０２は、段階３０４で表示されたホストデバイス１０１の使用可能な第１通信インターフェース情報が段階３０６で活性化されたカメラを通じて入力される３０７。
【００９７】
ここで、第１機器１０１と第２機器１０２は、互いにカメラが互いのディスプレイ部を撮影することができるように位置が調整されることができる。例えば、図１のように、ディスプレイ装置１０１のカメラが認識することができる位置にモバイル装置１０２のディスプレイ部が位置され、同時にモバイル装置１０２のカメラにディスプレイ装置１０１のＴＶ画面が見えるように位置されることができる。
【００９８】
このために、段階３０１と段階３０５で受信された機器間の連結要請に応答して、第１及び第２機器１０１、１０２はそれぞれのディスプレイ部に連結しようとする機器のディスプレイ画面に当該機器のカメラを位置させるようにするメッセージを表示することができる。例えば、ディスプレイ部には“連結対象機器の画面にカメラを位置させてください”というメッセージが表示されることができる。ユーザーは、表示されたメッセージを確認し、第１及び第２機器１０１、１０２の位置を調整することができる。
【００９９】
第２機器１０２の制御部１７０は段階３０７で受信された第１通信インターフェース情報と、保存部１４０に保存された第２機器１０２の通信部１６０で支援する第２通信インターフェース情報に基づいて最適の連結が可能な通信インターフェースを探索する３０８。
【０１００】
具体的に、第２機器１０２の制御部１７０は、カメラを通じて入力された第１インターフェース情報の形態、即ち、文字、ＱＲコード等を認識し、認識されたデータを解釈して、第１機器即ち、ホスト１０１で支援可能な第１通信インターフェース情報を第２機器１０２の保存部１５０に保存する。ここで、第２機器１０２はホスト１０１で支援可能な第１通信インターフェースが複数である場合、既に設定された優先順位に従って複数の第１通信インターフェースを整列して保存することができる。整列されて保存された複数の第１通信インターフェースはホストとの連結に使用可能な候補群になる。既に設定された優先順位は、システム環境での性能、例えば、情報の処理量（Ｔｈｒｏｕｇｈｐｕｔ）、信頼性（Ｒｅｌｉａｂｉｌｉｔｙ）などに基づいて決定されることができる。このために、第２機器１０２の保存部１５０は性能による通信インターフェースに対する有線順位が既に設定されて保存されることができる。また、本発明は、場合よって、ユーザーの設定にしたがって優先順位が決定されるようにして、ユーザーの選好度を反映するように具現されることもできる。
【０１０１】
また、第２機器１０２の制御部１７０は、第２機器、即ち、クライアント１０２で支援する第２通信インターフェース情報を第１通信インターフェース情報と比較して最適のインターフェースを選択する。ここで、第２機器１０２は、保存部１５０に保存された情報を利用して、第１および第２機器１０１、１０２で共通的に支援される通信インターフェースの中で有線順位が一番高いインターフェースを最適のインターフェースと選択することができる。
【０１０２】
段階３０８で第１機器１０１及び第２機器１０２が共通的に連結可能な通信インターフェースがない場合、第２機器１０２は、ディスプレイ部１２０に連結不可能情報を表示し３０９、これによって第２機器１０２は連結試み動作を中断し通信連結モードが終了される。
【０１０３】
段階３０８で最適の通信インターフェースが選択されれば、第２機器１０２は、図１に示すように、ディスプレイ部１２０に選択された最適の通信インターフェース情報、即ち、アクセスポイント（ＡＰ）を表示する３１０。
【０１０４】
また、第１機器１０１は、第２機器１０２からの選択待機を維持する状態で３１１、段階３０８の探索結果による段階３０９の連結不可能情報または段階３１０の選択された通信インターフェース情報を段階３０２で活性化されたカメラを通じて第１機器即ち、ホスト１０１に入力される３１２。
【０１０５】
段階３１２で入力された情報がクライアントと連結不可能である場合、第１機器１０１は連結試み動作を中断し通信連結モードが終了される。
【０１０６】
段階３１１で入力された情報がクライアントで選択された通信インターフェース情報を含む場合、図３Ｂに示すように、第１機器１０１の通信部１６０で支援される通信インターフェースの中でクライアントで選択された通信インターフェースが活性化される３１３。また、第１機器１０１の動作モードは、ホスト状態モードに変更されることができる。
【０１０７】
段階３１３で活性化された通信インターフェースによる連結に必要な情報、即ち、ホスト識別情報が第１機器１０１、即ちホストのディスプレイ部１２０に表示される３１４。ここで、選択された通信インターフェースがブルートゥースである場合を例えば、段階３１４のホスト識別情報は既に設定されたバイト（例えば、６ｂｙｔｅ）からなる第１機器１０１のブルートゥースアドレス（ｂｌｕｅｔｏｏｔｈ  ａｄｄｒｅｓｓ）であり、選択された通信インターフェースがＲＦである場合を例えば、段階３１４のホスト識別情報は、第１機器１０１のマック  アドレス（Ｍａｃ  Ａｄｄｒｅｓｓ）になることができる。また、選択された通信インターフェースがＡＰやワイパイである場合、ホスト識別情報はＩＰアドレス（ＩＰ  Ａｄｄｒｅｓｓ）になることができる。
【０１０８】
段階３１４で表示されたホスト識別情報は段階３０６で活性化されたカメラを通じて第２機器、即ち、クライアント１０２に入力される３１５。
【０１０９】
第２機器１０２は、段階３１５で入力されたホスト識別情報に対応するように通信インターフェースの設定を変更し３１６、ホストとの連結を試みる３１７。ここで、選択された通信インターフェースがブルートゥースまたはＲＦである場合に第２機器１０２のブルートゥース  アドレスまたはマック  アドレスがクライアント識別情報として第２機器１０２のディスプレイ部１２０に表示され、第１機器１０１のカメラを通じて送信されることができる。
【０１１０】
段階３１７の連結試みにしたがってホストとクライアント間の連結が成功すれば、第２機器１０２は連結成功情報をディスプレイ部１２０に表示する３１８。また、第２機器１０２の通信連結モードは終了されることができる。
【０１１１】
第１機器１０１が第２機器１０２からの連結待機を維持する状態で３１９、段階３１７の連結試みに従ってホストとクライアント間の連結が成功すれば、第１機器１０１は、連結成功情報をディスプレイ部１２０に表示する３２０。また、第１機器１０２の通信連結モードは終了されることができる。
【０１１２】
一方、段階３１７の連結試みに従ってホストとクライアント間の連結が失敗すれば、第２機器１０２は段階３０８での通信インターフェース探索を再び行う。ここで、第２機器１０２の制御部１７０は、連結が失敗された通信インターフェースを保存部１５０に保存されたホストとの連結に使用可能な候補群で削除し、他の候補群で次の順位の通信インターフェースを選択することができる。
【０１１３】
また、第１機器１０１は、第２機器１０２の再探索結果が入力されて、段階３１３で再探索結果に対応する通信インターフェースを活性化するようになる。
【０１１４】
以上のような図３Ａ及び図３Ｂの実施形態では、ホスト１０１側で使用可能な第１インターフェース情報をディスプレイし、クライアント１０２がディスプレイされた第１インターフェース情報がカメラを通じて入力されて、最適の通信インターフェースを選択してホスト１０１とクライアント１０２間の通信連結を行うことが特徴である。
【０１１５】
これに比べて、以下で説明する図４Ａ及び図４Ｂに示す実施形態は、クライアント１０２の側でもしよう可能な第２インターフェース情報をディスプレイし、ホスト１０１がディスプレイされた第２インターフェース情報がカメラを通じて入力されて、最適の通信インターフェースを選択してホスト１０１とクライアント１０２間の通信連結を行うことが特徴である。
【０１１６】
具体的に、図４Ａに示すように、ホスト、即ち、第１機器１０１は、ユーザーから機器１０１、１０２間の連結要請を受信することができる４０１。ここで、ユーザーは、第１機器１０１のユーザー入力部１３０を操作して、第２機器１０２との通信連結を要請することができる。例えば、ユーザーは、通信連結要請に対応するように設けられた専用ボタンを操作する簡単な方式で通信連結を要請し、タッチスクリーン１２１または第１機器１０１と分離された入力装置を操作して通信連結モードを選択する方式で通信連結を要請することができる。
【０１１７】
段階４０１で受信された機器１０１、１０２間の連結要請に対応して、制御部１７０は第１機器１０１の映像入力部１４０、即ち、カメラを活性化させる（４０２）。ここで、第１機器１０１は、動作モードが通信連結モードに転換されることができる。
【０１１８】
また、段階４０１の機器１０１、１０２間の連結要請に対応して、制御部１７０は、保存部１４０に保存された第１機器１０１の通信部１６０で支援する第１通信インターフェース情報を照会する４０３。
【０１１９】
段階４０３の照会結果に対応して、制御部１７０は、第１機器１０１が使用可能な第１通信インターフェース情報をディスプレイ部１２０に表示する４０４。ここで、ディスプレイ部１２０に表示される第１通信インターフェース情報は、文字、ＱＲコード、バーコード等、第２機器１０２で認識可能な多様な形態で表示することができる。ここで、場合によって、段階４０３及び４０４の第１通信インターフェースの照会及び表示過程を省略することができる。
【０１２０】
一方、クライアント、即ち、第２機器１０２もユーザーから機器１０１、１０２間の連結要請を受信することができる４０５。ここで、ユーザーは、第２機器１０２のユーザー入力部１３０を操作して、第１機器１０２との通信連結を要請することができる。例えば、ユーザーは通信連結要請に対応するように設けられた専用ボタンを操作する簡単な方式で通信連結を要請し、タッチスクリーン１２１または第２機器１０２と分離された入力装置を操作して通信連結モードを選択する方式で通信連結を要請することもできる。ここで、段階４０１と４０５の連結要請は、同時または時間的な差を置いて受信され、互いに独立的に受信されることができる。
【０１２１】
段階４０５で受信された機器１０１、１０２間の連結要請に対応して、第２機器１０２の制御部１７０は第２機器１０２の映像入力部１４０、即ち、カメラを活性化させる４０６。ここで、第２機器１０２は動作モードが通信連結モードに転換されることができる。
【０１２２】
また、段階４０５の機器１０１、１０２間の連結要請に対応して、第２機器１０２の制御部１７０は保存部１４０に保存された第２機器１０２の通信部１６０で支援する第２通信インターフェース情報を照会する４０７。
【０１２３】
段階４０７の照会結果に対応して、制御部１７０は、第２機器１０２が使用可能な第２通信インターフェース情報をディスプレイ部１２０に表示する４０８。ここで、ディスプレイ部１２０に表示される第２通信インターフェース情報は文字、ＱＲコード、バーコード等第１機器１０１で認識可能な多様な形態で表示することができる。
【０１２４】
第１機器１０２は、段階４０８で表示されたクライアントデバイス１０２の使用可能な第１通信インターフェース情報が段階４０６で活性化されたカメラを通じて入力される４０９。
【０１２５】
ここで、第１機器１０１と第２機器１０２は、互いにカメラが互いのディスプレイ部を撮影することができるように位置が調整されることができる。例えば、図１のように、ディスプレイ装置１０１のカメラが認識することができる位置にモバイル装置１０２のディスプレイ部が位置され、同時にモバイル装置１０２のカメラにディスプレイ装置１０１のＴＶ画面が見えるように位置されることができる。
【０１２６】
このために、段階４０１と段階４０５で受信された機器間の連結要請に応答して、第１機器１０１及び第２機器１０２はそれぞれのディスプレイ部に連結しようとする機器のディスプレイ画面に当該機器のカメラを位置させるようにするメッセージを表示することができる。例えば、ディスプレイ部には“連結対象機器の画面にカメラを位置させてください”というメッセージが表示されることができる。ユーザーは、表示されたメッセージを確認し、第１及び第２機器１０１、１０２の位置を調整することができる。
【０１２７】
第１機器１０２の制御部１７０は段階４０９で受信された第２通信インターフェース情報と、保存部１４０に保存された第１機器１０１の通信部１６０で支援する第１通信インターフェース情報に基づいて最適の連結が可能な通信インターフェースを探索する４１０。
【０１２８】
具体的に、第１機器１０１の制御部１７０は、カメラを通じて入力された第２インターフェース情報の形態、即ち、文字、ＱＲコード等を認識し、認識されたデータを解釈して、第２機器、即ち、クライアント１０２で支援可能な第２通信インターフェース情報を第１機器１０１の保存部１５０に保存する。ここで、第１機器１０１はクライアント１０２で支援可能な第２通信インターフェースが複数である場合、既に設定された優先順位に従って複数の第２通信インターフェースを整列して保存することができる。整列されて保存された複数の第２通信インターフェースはクライアントとの連結に使用可能な候補群になる。既に設定された優先順位は、システム環境での性能、例えば、情報の処理量（Ｔｈｒｏｕｇｈｐｕｔ）、信頼性（Ｒｅｌｉａｂｉｌｉｔｙ）などに基づいて決定されることができる。このために、第１機器１０１の保存部１５０は性能による通信インターフェースに対する有線順位が既に設定されて保存されることができる。また、本発明は、場合よって、ユーザーの設定にしたがって優先順位が決定されるようにして、ユーザーの選好度を反映するように具現されることもできる。
【０１２９】
また、第１機器１０１の制御部１７０は、第２機器、即ち、クライアント１０２で支援される第２通信インターフェース情報を第１通信インターフェース情報と比較して最適のインターフェースを選択する。ここで、第１機器１０１は、保存部１５０に保存された情報を利用して、第１機器１０１および第２機器１０２で共通的に支援される通信インターフェースの中で有線順位が一番高いインターフェースを最適のインターフェースと選択することができる。
【０１３０】
段階４１０で第１機器１０１及び第２機器１０２が共通的に連結可能な通信インターフェースがない場合、第１機器１０１は、ディスプレイ部１２０に連結不可能情報を表示し４１１、これによって第１機器１０１は連結試み動作を中断し通信連結モードが終了される。
【０１３１】
段階３０８で最適の通信インターフェースが選択されれば、第２機器１０２は、図１のようにディスプレイ部１２０に選択された最適の通信インターフェース情報を表示する４１２。
【０１３２】
また、第２機器１０２は、第１機器１０１からの選択待機を維持する状態で４１３、段階４０９の探索結果による段階４１０の連結不可能情報または段階４１１の選択された通信インターフェース情報を段階４０５で活性化されたカメラを通じて第２機器、即ち、ホスト１０２に入力される４１４。
【０１３３】
段階４１４で入力された情報がクライアントと連結不可能である場合、第２機器１０２は連結試み動作を中断し通信連結モードが終了される。
【０１３４】
段階４１４で入力された情報がクホストで選択された通信インターフェース情報を含む場合、第２機器１０２の通信部１６０で支援される通信インターフェースの中でクライアントで選択された通信インターフェースが活性化される４１５。また、第２機器１０２の動作モードは、クライアント状態モードに変更されることができる。
【０１３５】
段階４１５で活性化された通信インターフェースによる連結に必要な情報、即ち、クライアント識別情報が第２機器１０２、即ちホストのディスプレイ部１２０に表示される４１６。ここで、クライアント識別情報は第２機器１０２のブルートゥースアドレス、マック  アドレス、ＩＰアドレスの中で何れか一つになることができる。
【０１３６】
段階４１６で表示されたクライアント識別情報は段階４０１で活性化されたカメラを通じて第１機器、即ち、ホスト１０１に入力される４１７。
【０１３７】
第１機器１０１は、段階３１７で入力されたホスト識別情報に対応するように通信インターフェースの設定を変更し４１８、クライアントとの連結を試みる４１９。ここで、選択された通信インターフェースがブルートゥースまたはＲＦである場合に第１機器１０１のブルートゥース  アドレスまたはマック  アドレスがホスト識別情報として第１機器１０１のディスプレイ部１２０に表示され、第２機器１０２のカメラを通じて送信されることができる。
【０１３８】
段階４１９の連結試みに従ってホストとクライアント間の連結が成功すれば、第１機器１０１は連結成功情報をディスプレイ部１２０に表示する４２０。また、第１機器１０１の通信連結モードは終了されることができる。
【０１３９】
第２機器１０２が第１機器１０１からの連結待機を維持する状態で４２１、段階４１９の連結試みに従ってホストとクライアント間の連結が成功すれば、第２機器１０２は、連結成功情報をディスプレイ部１２０に表示する４２２。また、第２機器１０２の通信連結モードは終了されることができる。
【０１４０】
一方、段階４１９の連結試みに従ってホストとクライアント間の連結が失敗すれば、第１機器１０１は段階４１０での通信インターフェース探索を再び行う。ここで、第１機器１０１の制御部１７０は、連結が失敗された通信インターフェースを保存部１５０に保存されたホストとの連結に使用可能な候補群で削除し、他の候補群で次の順位の通信インターフェースを選択することができる。
【０１４１】
また、第２機器１０２は、第１機器１０１の再探索結果が入力されて、段階４１５で再探索結果に対応する通信インターフェースを活性化するようになる。
【０１４２】
以上のように、本発明の実施形態によると、機器間の通信連結を要請するユーザー操作に対応して各機器に設けられたカメラとディスプレイを通じて通信連結が自動に行われるので、最小限のユーザー操作だけで簡便に通信連結が可能である。
【０１４３】
また、連結完了時まで各機器のインターフェース情報、現在状態情報を含む通信連結に対する各種の情報が実時間で表示され、カメラを通じて表示された情報が直ちに獲得及び解釈されてそれに応ずるように適切な通信連結が自動に行われるので、ユーザーの受動操作のような手間なく最適の通信方式で機器を利用し、ユーザーに情報が直ちにフィードバックされる長所がある。
【０１４４】
一方、前記のような本発明の多様な実施形態は、コンピュータが判読可能な記録媒体で実施されることができる。コンピュータが判読可能な記録媒体は、送信媒体及びコンピュータシステムによって判読可能なデータを保存する保存媒体を含む。送信媒体は、コンピュータシステムが相互結合された有無線ネットワークを通じて具現することができる。
【０１４５】
本発明の様々な実施形態は、ハードウェアとソフトウェアの結合によって具現されることができる。ハードウェアとして、制御部１７０は、ソフトフェアであるコンピュータプログラムが保存される非揮発性メモリと、非揮発性メモリに保存されたコンピュータプログラムがローディングされるＲＡＭと、ＲＡＭにローディングされたコンピュータプログラムを実行するＣＰＵを含むことができる。非揮発性メモリは、ハードディスクドライブ、フラッシュメモリ、ＲＯＭ、ＣＤ−ＲＯＭｓ、磁気テープ（Ｍａｇｎｅｔｉｃ  ｔａｐｅｓ）、フロッピー（登録商標）ディスク、光記憶装置（ｏｐｔｉｃａｌ  ｓｔｏｒａｇｅ）、インターネットを利用したデータ送信装置等を含み、これに限られない。非揮発性メモリは、本発明のコンピュータが読むことができるプログラムが記録された記録媒体（ｃｏｍｐｕｔｅｒ−ｒｅａｄａｂｌｅ  ｒｅｃｏｒｄｉｎｇ  ｍｅｄｉｕｍ）の一例である。
【０１４６】
コンピュータプログラムは、ＣＰＵが読んで実行することができるコードとして、図３Ａ及び図３Ｂの段階３０１乃至３２０、図４Ａ及び図４Ｂの段階４０１乃至４２２を含み、制御部１７０が動作を行うことができるようにするコードを含む。
【０１４７】
コンピュータプログラムは、各機器１００，１０１，１０２に備わった運営体制（ｏｐｅｒａｔｉｎｇ  ｓｙｓｔｅｍ）またはアプリケーションを含むソフトウェア及び／または外部装置とインターフェースするソフトウェアに含まれて具現されることができる。
【０１４８】
以上、好ましい実施形態を通じて本発明に対して詳しく説明したが、本発明はこれに限られず、特許請求の範囲の内で多様に実施されることができる。
【符号の説明】
【０１４９】
１００、１０１、１０２  機器
１１０    映像処理部
１２０    ディスプレイ部
１２１    タッチスクリーン
１３０    ユーザー入力部
１４０    映像入力部
１４１    イメージセンサー
１５０    保存部
１６０    通信部
１７０    制御部
【図１】
2015130661.tif 000003
【図２】
2015130661.tif 000004
【図３Ａ】
2015130661.tif 000005
【図３Ｂ】
2015130661.tif 000006
【図４Ａ】
2015130661.tif 000007
【図４Ｂ】
2015130661.tif 000008